(57)【要約】【課題】            筒状又は棒状の物体の表面に貼着されたシート部材が当該表面から剥がれにくくする。【解決手段】        本発明の一実施形態による表面構造体は、筒状又は棒状の本体と、前記本体の表面に直接又は間接に設けられたシート部材と、を備える。当該シート部材は前記本体の周方向に延伸しており、前記シート部材の前記周方向の端部には、前記本体の軸方向に延びるスリットが形成されている。【選択図】          図５
2018050602.tif 000002
【特許請求の範囲】
【請求項１】
筒状又は棒状の本体と、
前記本体の表面に直接又は間接に設けられたシート部材と、
を備え、
前記シート部材は前記本体の周方向に延伸しており、
前記シート部材の前記周方向の端部には、前記本体の軸方向に延びるスリットが形成されている、表面構造体。
【請求項２】
前記シート部材を覆うコーティング層をさらに備える、請求項１に記載の表面構造体。
【請求項３】
前記コーティング層は、前記スリットに充填されるように形成される、請求項１又は請求項２に記載の表面構造体。
【請求項４】
前記シート部材は、前記軸方向に対して傾いて延伸する第１のシート部分と、前記第１のシート部分の前記周方向の端部から前記軸方向に延びる第２のシート部分と、を備え、
前記スリットは、前記第２のシート部分に形成される、請求項１ないし請求項３のいずれか１項に記載の表面構造体。
【請求項５】
前記シート部材は、粘着剤により前記本体の表面に貼り付けられている、請求項１ないし請求項４のいずれか１項に記載の表面構造体。
【請求項６】
前記シート部材の前記周方向の端部には、前記本体の軸方向に延びるスリットが複数形成されている、請求項１ないし請求項５のいずれか１項に記載の表面構造体。
【請求項７】
釣竿用の竿体であって、
筒状又は棒状の竿本体と、
前記竿本体の表面に直接又は間接に設けられたシート部材と、
を備え、
前記シート部材は前記竿本体の周方向に延伸しており、
前記シート部材の前記竿本体の周方向の端部には、前記本体の軸方向に延びるスリットが形成されている、釣竿。
【発明の詳細な説明】
【技術分野】
【０００１】
本発明は、様々な工業製品の表面に形成される表面構造体に関する。より具体的には、本発明は、文字や模様の形状に形成されたシート部材を備える表面構造体に関する。本発明が適用される工業製品には、釣竿、ゴルフクラブ、スキーストック、及びホッケー用のスティックが含まれるが、これらには限られない。
【背景技術】
【０００２】
釣竿等の工業製品においては、その表面に文字や模様の形状に形成されたシールを貼着することが広く行われている。このシールは、例えば、製品名を表す文字や模様の形状にカットされる。このようなシールを工業製品の表面に貼着することにより、製品名の表示や装飾を行うことができる。
【０００３】
表面にシールが貼着された釣竿は、例えば、特開平５−１５３８８６号公報及び特開２０１５−１７２２２８号公報に開示されている。
【先行技術文献】
【特許文献】
【０００４】
【特許文献１】特開平５−１５３８８６号公報
【特許文献２】特開２０１５−１７２２２８号公報
【発明の概要】
【発明が解決しようとする課題】
【０００５】
しかしながら、釣竿の竿体のような細長い筒状又は棒状の物体の表面に貼着されたシール等のシート部材は当該物体から剥がれやすいという問題がある。
【０００６】
本発明の目的の一つは、筒状又は棒状の物体の表面に貼着されたシート部材が当該表面から剥がれにくくすることである。本発明のこれ以外の目的は、本明細書全体を参照することにより明らかとなる。
【課題を解決するための手段】
【０００７】
本発明の一実施形態による表面構造体は、筒状又は棒状の本体と、前記本体の表面に直接又は間接に設けられたシート部材と、を備える。当該シート部材は前記本体の周方向に延伸しており、前記シート部材の前記周方向の端部には、前記本体の軸方向に延びるスリットが形成されている。このスリットは、１つであっても複数であってもよい。当該シート部材は、粘着剤により前記本体の表面に貼り付けられてもよい。
【０００８】
筒状や棒状の本体の表面に設けられたシート部材は、当該本体の周方向において当該表面に沿って曲げられているため、平坦な形状に復元しようとする。この復元力がシート部材を本体の表面に保持する力よりも強くなると、当該シート部材は周方向の端部から剥がれてしまう。
【０００９】
上記実施形態による表面構造体においては、シート部材の周方向端部に軸方向に延びるスリットが形成されているため、シート部材の周方向端部に作用する復元力を減少させることができる。これにより、シート部材が筒状又は棒状の物体の表面から剥がれにくくすることができる。
【００１０】
本発明の一実施形態による表面構造体は、前記シート部材を覆うコーティング層をさらに備える。このコーティング層は、前記スリットに充填されるように形成されてもよい。
【００１１】
当該実施形態によれば、当該コーティング層によりシート部材を前記物体の表面に押さえつけることができる。特に、スリットに充填されるようにコーティング層を形成することにより、シート部材の端部をより強固に当該物体の表面に押さえつけることができる。
【００１２】
本発明の一実施形態においては、前記シート部材は、前記周方向に延伸する第１のシート部分と、前記第１のシート部分の前記周方向の端部から前記軸方向に延びる第２のシート部分と、を備え、前記スリットは、前記第２のシート部分に形成される。
【００１３】
当該実施形態によれば、当該第２のシート部分により、シート部材をより強固に物体表面に貼着することができる。
【００１４】
本発明の一実施形態による表面構造体は、釣竿、ゴルフクラブ、スキーストック、及びホッケー用のスティックに適用され得る。前記筒状又は棒状の本体は、釣竿の竿体、ゴルフクラブのシャフト、スキーストックのシャフト、及びホッケー用のスティックのシャフトであってもよい。
【発明の効果】
【００１５】
本発明の実施形態によって、筒状又は棒状の物体の表面に貼着されたシート部材が当該表面から剥がれにくくすることができる。
【図面の簡単な説明】
【００１６】
【図１】本発明の一実施形態に係る表面構造体の一部の正面図である。
【図２】図１の表面構造体をＩ−Ｉ線を通る面で切断した断面を模式的に示す断面図である。
【図３】図１の表面構造体を軸線Ａを通る面で切断した断面を模式的に示す断面図である。
【図４】図１の表面構造体が有するシート部材を拡大して示す拡大図である。
【図５】図１の表面構造体をＩＩ−ＩＩ線を通る面で切断した断面を模式的に示す断面図である。
【図６】図１の表面構造体が有するシート部材を拡大して示す拡大図である。
【発明を実施するための形態】
【００１７】
以下、適宜図面を参照し、本発明の様々な実施形態を説明する。なお、各図面において共通する構成要素に対しては同一の参照符号が付されている。各図面は、説明の便宜上、必ずしも正確な縮尺で記載されているとは限らない点に留意されたい。
【００１８】
図１ないし図４に示されているように、本発明の一実施形態に係る表面構造体１０は、本体１１と、この本体１１の上に形成された下地層１２と、この下地層１２の上に設けられたシート部材２１ないしシート部材２５と、当該シート部材２１ないしシート部材２５を覆うように下地層１２の上に形成されたクリア層１４と、を備える。
【００１９】
本発明の一実施形態に係る表面構造体１０は、釣竿、リール、クーラーボックス、及びルアー等の釣具、並びに、ゴルフクラブシャフト等のゴルフ用品等の様々な工業製品の表面に形成される。図１ないし図４には、本発明の一実施形態として、釣竿の竿体に形成された表面構造体が示されている。
【００２０】
図２に示されているように、本発明の一実施形態において、本体１１は細長い筒状に形成される。本発明の他の実施形態において、本体１１は、中実の棒状に形成されてもよい。本体１１は、例えば、合成樹脂、繊維強化樹脂、金属、又はセラミック等の様々な素材を用いて、工業製品の形状に応じた形状に形成されえる。
【００２１】
本発明の一実施形態において、本体１１の上に下地層１２が形成される。下地層１２は、例えば、エポキシ、ウレタン、アクリル、アクリルウレタン、フッ素、ラッカー等の合成樹脂を本体１１の表面に塗装することにより形成される。この下地層１２は、例えば、シゴキ塗装により形成される。下地層１２は、例えば、１０〜３０μｍ程度の膜厚を有する。下地層１２は、その表面が本体１１の表面よりも平滑になるように形成される。
【００２２】
本発明の一実施形態において、下地層１２の上に、シート部材２１ないしシート部材２５が設けられる。本発明の一実施形態においては、下地層１２を省略して、本体１１の上に直接シート部材２１ないしシート部材２５を形成してもよい。また、下地層１２の上に中間層を形成し、この中間層の上にシート部材２１ないしシート部材２５を形成してもよい。
【００２３】
本発明の一実施形態において、シート部材２１は、例えば、シールや繊維強化樹脂シートである。シート部材２１は、シールや繊維強化樹脂シートをアルファベットの「Ａ」の文字を表すパターンに裁断し、その裁断されたシールや繊維強化樹脂シートを本体１１の表面の所定位置に貼り付けることにより、本体１１の上にアルファベットの「Ａ」の文字を表すことができる。シート部材２１は、シリコーン系粘着剤、アクリル系粘着剤、ゴム系粘着剤、又はウレタン系粘着剤等の公知の各種粘着剤により、下層の表面に貼り付けられる。
【００２４】
本発明の一実施形態において、シート部材２１として用いることができるシールは、例えばアルミニウム、スズ、及びニッケル等の金属シールである。本発明の一実施形態において、シート部材２１として用いることができる繊維強化樹脂シートは、カーボン繊維やガラス繊維等の強化繊維に合成樹脂を含浸したプリプレグシートである。本発明の一実施形態において、このプリプレグシートは、本体１１の軸方向に対して０°ではない所定角度だけ傾斜する方向に配向された強化繊維を有する。この傾斜角度は、適宜変更可能なものである。当該プリプレグシートは、織物状の強化繊維を有していてもよい。織物状の強化繊維としては、例えば、平織状、綾巻状、及び、３軸・４軸状の強化繊維を用いることができる。
【００２５】
シート部材２２ないしシート部材２５は、その形状以外は、シート部材２１と同様の材料から同様の方法で形成される。シート部材２２はアルファベットの「Ｅ」の文字の形状に形成され、シート部材２３はアルファベットの「Ｍ」の文字の形状に形成され、シート部材２４はアルファベットの「Ｎ」の文字の形状に形成され、シート部材２５はアルファベットの「Ｔ」の文字の形状に形成されている。
【００２６】
図４及び図５を参照して、表面構造体１０に備えられるシート部材についてさらに説明する。図４は、シート部材２１を拡大して示す拡大図であり、図５は、表面構造体１０をＩＩ−ＩＩ線を通る面で切断した断面のうちシート部材２１の近傍を模式的に示す断面図である。
【００２７】
図４に示すように、シート部材２１は、アルファベットの「Ａ」の文字に対応する形状を有しており、「Ａ」の文字の頂部から左辺２１ａ及び右辺２１ｂが本体１１の軸方向Ａに対して約６０°傾いて延伸している。この左辺２１ａの下端には、軸方向に沿って延伸する足部２１ｃが形成されている。同様に、右辺２１ｂの下端には、軸方向に沿って延伸する足部２１ｄが形成されている。
【００２８】
この足部２１ｃにはスリット２１ｅが形成され、足部２１ｄにはスリット２１ｆが形成されている。スリット２１ｅ及びスリット２１ｆはいずれも本体１１の軸方向Ａの方向に延伸している。図４においては、スリット２１ｅ及びスリット２１ｆの幅（本体１１の周方向の寸法）が誇張されていることに留意されたい。よって、図示の実施形態では、足部２１ｃに１つのスリット２１ｅが形成されているが、足部２１ｃには複数のスリットを形成することもできる。この場合、当該複数のスリットは、いずれも軸方向Ａの方向に延びるように形成される。
【００２９】
図５に示すように、スリット２１ｅ及びスリット２１ｆは、シール部材２１の足部２１ｃ及び足部２１ｄの表面にそれぞれ形成された有底の溝であってもよい。また、スリット２１ｅ及びスリット２１ｆは、シール部材２１の足部２１ｃ及び足部２１ｄを貫通する貫通孔として形成されてもよい。また、スリット２１ｅ及びスリット２１ｆは、軸方向Ａの方向に足部２１ｃ及び足部２１ｄをそれぞれ貫くように形成されてもよい。図示したスリット２１ｅ及びスリット２１ｆの形状及び配置はあくまで例示であり、スリット２１ｅ及びスリット２１ｆの形状、配置及びそれ以外の特徴は、本発明の趣旨を逸脱しない範囲で適宜変更することができる。
【００３０】
シート部材２２ないしシート部材２５も、具体的な形状以外については、シート部材２１と同様に形成される。例えば、シート部材２２は、図６に示すように、アルファベットの「Ｅ」の文字に対応する形状を有しており、本体１１の軸方向Ａに対して約９０°傾いて延伸している縦辺２２ａと、この縦辺２２ａから本体１１の軸方向Ａの方向に延びる３つの辺（上辺２２ｂ、中辺２２ｃ、及び底辺２２ｄ）とを有する。
【００３１】
上辺２２ｂは、縦辺２２ａの上端から軸方向Ａの方向に延びており、底辺２２ｄは、縦辺２２ａの下端から軸方向Ａの方向に延びている。上辺２２ｂにはスリット２２ｅが形成され、底辺２２ｄにはスリット２２ｆが形成されている。スリット２２ｅ及びスリット２２ｆはいずれも本体１１の軸方向Ａの方向に延伸している。上辺２２ｂには複数のスリット２２ｅが形成されてもよく、底辺２２ｄには複数のスリット２２ｆが形成されてもよい。スリット２１ｅ及びスリット２１ｆと同様に、スリット２２ｅ及びスリット２２ｆは有底の溝であってもよく、貫通孔であってもよい。また、スリット２２ｅ及びスリット２２ｆは、軸方向Ａの方向に上辺２２ｂ及び底辺２２ｄをそれぞれ貫くように形成されてもよい。図示したスリット２２ｅ及びスリット２２ｆの形状及び配置はあくまで例示であり、スリット２２ｅ及びスリット２２ｆの形状、配置及びそれ以外の特徴は、本発明の趣旨を逸脱しない範囲で適宜変更することができる。
【００３２】
シート部材２３ないしシート部材２５においても、これらの周方向の端部には、本体１１の軸方向Ａの方向に延びるスリットがそれぞれ形成される。
【００３３】
シート部材２１ないしシート部材２５の形状は、本明細書において明示されたものには限られない。例えば、シート部材２１ないしシート部材２５は、図示した形状以外のアルファベットの文字、ひらがなの文字、カタカナの文字、漢字の文字、その他の各種文字、又は各種模様の形状に形成され得る。
【００３４】
コーティング層１４は、下地層１１及びシート部材２１ないしシート部材２５の表面を覆うように形成される。コーティング層１４は、例えばエポキシ樹脂、ウレタン樹脂等の透明または半透明の合成樹脂を、下地層１１及びシート部材２１ないしシート部材２５の表面に塗布することにより形成される。このとき、合成樹脂は、シート部材２１ないしシート部材２５に形成されたスリットの各々に充填されるように塗布される。コーティング層１４は、無色であっても有色であってもよい。また、コーティング層１４には、装飾効果を高めるために、ガラスや金属粒子を混入させてもよい。
【００３５】
次に、本発明の一実施形態に係る表面構造体１０の製造方法について説明する。まず、本体１１を準備する。本体１１は、任意の公知の手法によって形成され得る。例えば、表面構造体１０が釣竿の竿体に適用される場合には、この竿体の基材にあたる本体１１は、強化繊維に合成樹脂を含浸した繊維強化プリプレグを芯金に巻回し、この芯金に巻回された繊維強化プリプレグに加熱・焼成・脱芯の工程を施すことにより成形される。次に、本体１１の表面に、エポキシ等の合成樹脂を例えばシゴキ塗装により塗布することにより、本体１１の表面に下地層１２が形成される。次に、この下地層１２の表面にシート部材２１ないしシート部材２５が貼着される。一実施形態においては、シート部材２１ないしシート部材２５の端部には予めスリットを形成しておき、これらのスリットが形成されているシート部材２１ないしシート部材２５が下地層１２に貼着される。次に、下地層１１及びシート部材２１ないしシート部材２５の表面に透明又は半透明の合成樹脂を塗布し、コーティング層１４を形成する。このようにして、本発明の一実施形態に係る表面構造体１０が得られる。
【００３６】
本発明の一実施形態に係る表面構造体は以上のようにして製造されるが、上記の製造工程の一部を省略すること、上記以外の工程を追加すること、及び／又は、上述した製造方法を構成する各工程の順序を入れ替えることが可能であり、このような省略、追加、順序の変更がなされた製造方法も本発明の趣旨を逸脱しない限り本発明の範囲に含まれる。
【００３７】
上述した実施形態においては、シート部材２１ないしシート部材２５が筒状又は棒状の本体１１の表面に沿って曲げられた状態で本体１１に設けられている。よって、シート部材２１ないしシート部材２５の本体１１の周方向における端部には本体１１の表面から剥がれて平坦な形状に復元しようとする復元力が作用する。特に、シート部材２１ないしシート部材２５が、本体１１の軸方向に対して０°ではない所定角度だけ傾斜する方向に配向された強化繊維を有する場合には、当該強化繊維が本体１１の表面から起き上がろうとするので、シート部材２１ないしシート部材２５が平坦な形状に復元しようとする復元力が強くなる。しかしながら、シート部材２１ないしシート部材２５の各々の周方向端部には軸方向Ａに延びるスリット（スリット２１ｅ、２１ｆ、２２ｅ、２２ｆ等）が形成されているため、シート部材２１ないしシート部材２５の周方向端部に作用する復元力を減少させることができる。これにより、シート部材２１ないしシート部材２５が本体１１の表面から剥がれにくくすることができる。
【００３８】
上述した実施形態によれば、シート部材２１ないしシート部材２５の表面にコーティング層１４が形成されているので、このコーティング層１４によりシート部材２１ないしシート部材２５を本体１１の表面に押さえつけることができる。シート部材２１ないしシート部材２５に形成されているスリットに充填されるようにコーティング層１４を形成することにより、アンカー効果によりシート部材２１ないしシート部材２５の端部をより強固に本体１１の表面に押さえつけることができる。
【００３９】
本明細書で説明された各構成要素の寸法、材料、及び配置は、実施形態中で明示的に説明されたものに限定されず、この各構成要素は、本発明の範囲に含まれうる任意の寸法、材料、及び配置を有するように変形することができる。また、本明細書において明示的に説明していない構成要素を、説明した実施形態に付加することもできるし、各実施形態において説明した構成要素の一部を省略することもできる。
【符号の説明】
【００４０】
１０  表面構造体
１１  本体
１２  下地層
２１〜２５  シート部材
２１ｅ、２１ｆ、２２ｅ、２２ｆ  スリット
【図１】
2018050602.tif 000003
【図２】
2018050602.tif 000004
【図３】
2018050602.tif 000005
【図４】
2018050602.tif 000006
【図５】
2018050602.tif 000007
【図６】
2018050602.tif 000008